Podtech/llm-jp-corpus-v4-ja_patent huggingface dataset:
(57)【要約】      （修正有）【課題】容易かつ確実に、蛇口を固定させる。【解決手段】蛇口固定具取付部１と蛇口取付部５から構成され、１個の蛇口に対して同一の蛇口固定具を一対使用する。蛇口固定具取付部１は、蛇口固定具取付穴４と蛇口取付部５の蛇口固定具取付面に蛇口の鍔部を収納させるための溝部から成る。蛇口取付部５は、蛇口取付面６の中央部に凹面部７を設け、その両端部に蛇口締付穴８を有する。【選択図】図１
0003105944.tif 000002
【実用新案登録請求の範囲】
【請求項１】
蛇口固定具取付部１と蛇口取付部５から成り、蛇口固定具取付部１には蛇口固定具取付面２に溝部３と蛇口固定具取付穴４を有し、蛇口取付部５の蛇口取付面６には凹面部７と蛇口締付穴８を有し、これらが一体となったもの２個を一対とした蛇口固定具。
【考案の詳細な説明】
【技術分野】
【０００１】  本考案は、建設部門において給水のための設備の設置工事で蛇口を取付固定する部品に関するものである。
【背景技術】
【０００２】  従来、給水設備工事において、蛇口を給水管部に接続する作業では、壁面等の蛇口配置部に給水管部の外径程度の穴を設け、その穴に配水管部を挿通させ、蛇口を接続させるだけの作業であり、蛇口を固定させる手段は取っていなかった。
【考案の開示】
【考案が解決しようとする課題】
【０００３】  しかしながら、上記した従来の給水設備工事には、つぎのような欠点がある。壁面の穴に給水管部を挿通させただけのことであるので、給水管部は適切に固定されいるとは言えず、壁面の穴と給水管部に間隙があれば、蛇口を開栓または閉栓するために人がさわる度に、蛇口が前後あるいは上下、左右にぐらつきを生じる可能性が高い。これは、経年変化によって穴が大きくなり、蛇口のぐらつきがひどくなることにつながる。また、蛇口や給水管部のぐらつきによって接続部がゆるみ、水漏れの原因になる。
【課題を解決するための手段】
【０００４】  本考案は、従来の給水設備工事において、給水管部の施工工事に変化はなく、給水管部が配置され蛇口を接続された後に、本考案の蛇口固定具で蛇口を完璧に固定させることが出来るものである。
【考案の効果】
【０００５】  本考案に係る蛇口固定具は、蛇口を給水管部に接続した後に、蛇口の接続部に近い部位に挟持させて蛇口を固定するものである。これから蛇口を設置する場合も、すでに蛇口が設置されている場合にも、容易かつ確実に、蛇口を固定させることが可能である。これは、単に蛇口を固定させる形式的な効果だけでなく、給水管と蛇口の接続部における水漏れ防止や壁面内部の保守対策になる。
【実施例１】
【０００６】  図１は本考案の蛇口固定具の正面外観図であり、図２は本考案の蛇口固定具の裏面外観図である。本考案の蛇口固定具は、蛇口固定具取付部１と蛇口取付部５から構成され、１個の蛇口９に対して同一の蛇口固定具を一対使用して目的を達成させることができる。【０００７】  蛇口固定具取付部１は、蛇口固定具取付穴４と蛇口取付部５の蛇口固定具取付面２に蛇口９の鍔部１１を収納させるための溝部３から成る。【０００８】  蛇口取付部５は、蛇口取付面６の中央部に凹面部７を設け、その両端部に蛇口締付穴８を有する。【０００９】  本考案の蛇口固定具は、上記の蛇口固定具取付部１と蛇口取付部５から構成する同一部品を一対として使用することで、目的の効果を達成させるものである。【００１０】  本考案の蛇口固定具の材質は、塩化ビニール樹脂やＡＢＳ樹脂が最適と考えられるが、そのほかの樹脂系統、ゴム系統、金属、非鉄金属も用途に応じて利用できる。【００１１】  本考案の使用方法を以下に説明する。
図３および図４において、壁面１２に配置済の給水管部の先端に接続された蛇口９の円筒部１０に本考案の蛇口固定具２個を使用して凹面部７で挟持させ、つぎに蛇口固定具を壁面１２に押し当て蛇口９の鍔部１１を溝部３に収納した状態にし、蛇口取付部５の蛇口締付穴８をビスとナット等で仮止めしておき、蛇口固定具取付穴４を利用して蛇口固定具取付部１を壁面１２に打ち込まれたＰＣプラグ等をビス等により壁面に固定させ、蛇口締付穴８の仮止めビスとナット等により、蛇口取付部５を蛇口９の円筒部１０に締付け固定させる。【００１２】  以上の方法により、蛇口を壁面に確実に固定させることが出来、従来の欠点である蛇口および給水管部のぐらつきや、ぐらつきが原因で発生する水漏れを防止するとともに給水管部や壁面内部の保守に効果がある。
【図面の簡単な説明】
【００１２】
【図１】  本考案の蛇口固定具の正面外観図
【図２】  本考案の蛇口固定具の裏面外観図
【図３】  本考案の蛇口固定具使用前の蛇口外観図
【図４】  本考案の蛇口固定具使用後の蛇口外観図
【符号の説明】
【００１３】    １  蛇口固定具取付部
２  蛇口固定具取付面
３  溝部
４  蛇口固定具取付穴
５  蛇口取付部
６  蛇口取付面
７  凹面部
８  蛇口締付穴
９  蛇口
１０  円筒部
１１  鍔部
１２  壁面
【図１】
0003105944.tif 000003
【図２】
0003105944.tif 000004
【図３】
0003105944.tif 000005
【図４】
0003105944.tif 000006
(57)【要約】【課題】  温浴器の洗浄や取替えなどの負担がなく、邪魔にならず滑り止めにもなる温浴機能を有する美観の良い浴槽を提供する。【解決手段】  入浴者にとって有益な機能を有する石材類１をプラスチック製浴槽２における少なくとも底部箇所のプラスチック素材中に埋め込むようにして浴槽に形成し、かつその時に石材類１の上面が該浴槽の内面の一部として露出するように形成して、本考案の機能石材埋め込み浴槽とする。【選択図】    図２
0003105942.tif 000002
【実用新案登録請求の範囲】
【請求項１】
入浴者にとって有益な機能を有する石材類をプラスチック製浴槽における少なくとも底部箇所のプラスチック素材中に埋め込むようにして浴槽状に形成し、かつその時、該石材類の上面が該浴槽の内面の一部として露出するように形成したことを特徴とする機能石材埋め込み浴槽。
【考案の詳細な説明】
【技術分野】
【０００１】  この考案は、入浴者にとって有益な機能を付与させた浴槽に関する。
【背景技術】
【０００２】  各種薬石やトルマリンなどの粒状物を網袋や籠状容器内に収め、これを浴槽内の湯中に浸漬したとき、遠赤外線、マイナスイオン、放出ミネラルの作用などにより、血行促進その他入浴者に望まれる機能を与えるようにした製品が、温浴器などと称して既に各種商品化されている。【０００３】  これらはいずれも粒状薬石類を通水性収容材で覆った形態をとっているが、最近はかかる粒状物を埋め込んだ板状物を必要に応じて通水性収容材中に収めて温浴器としたものも提案されている。
【考案の開示】
【考案が解決しようとする課題】
【０００４】  上記のような在来の温浴器類は、いずれも垢や髪の毛などが付着して容易に逸脱しないため、使用毎に交換を要し、洗浄しても汚れが落ちにくく、また乾燥に手間取るなど、取り扱いがかなり面倒であった。またこれを浴槽内に浸漬すれば入浴者にとっては邪魔な存在となり、入浴の快適性を損ねたり子供や高齢者の怪我の原因にもなりかねないという問題点があった。【０００５】  本考案はかかる問題点を解消して、使用毎に取り替えを要することがなく掃除や洗浄が容易であり、しかも薬石類の効能が発揮できて美観や使用感の良い（温浴器不要の）浴槽を提供することを課題とする。
【課題を解決するための手段】
【０００６】  入浴者にとって有益な機能を有する石材類１をプラスチック製浴槽２における少なくとも底部箇所のプラスチック素材中に埋め込むようにして浴槽に形成し、かつその時に石材類１の上面が該浴槽の内面の一部として露出するように形成して、本考案の機能石材埋め込み浴槽とする。但しここで言うプラスチックには、イソ系樹脂など熱硬化性樹脂も含まれるものとする。【０００７】  またここで言う入浴者にとって有益な機能を有する石材類１とは、例えば愛知県段戸山で産する段戸石、麦飯石、医王石、浄化石などと通称される薬石類や、電気石（トルマリン）等のように、遠赤外線やマイナスイオン、溶出ミネラルなどにより、入浴者に対して好ましい機能を発揮する鉱物材を指すのであって、天然の石材は勿論のこと、それらの材料を用いたセラミック成形物等も含まれるものとする。またその形状は浴槽の底部等に合わせた板状体を原則とし、これを複数個に分散して主に底部に配置するものとする。【０００８】  プラスチック製浴槽２は、通常、ＦＲＰ（ガラス繊維強化樹脂）の積層成形法により製作されている。この成形法において、上記の石材類１をその上面が露出するように該プラスチック素材中に埋め込むことは、後述の成形手順によれば十分に可能である。
【考案の効果】
【０００９】  このように本考案によれば、従来の温浴器を使う場合のように入浴者にとって邪魔になったり怪我の原因になることがなく、また洗浄や乾燥、取り替え等に悩まされることもなく、機能石材類のもつ効能を十分に享受できると同時に、浴槽そのものの美観を向上させ、更に石材類上面が滑り止めの役割をも果たし、或いは２４時間風呂に温浴器を組み込んだ場合に生じがちな様々なトラブルも回避できるなど、多大な効果がある。
【考案を実施するための最良の形態】
【００１０】  本考案を実施するための最良の形態は、前述のように段戸石などのような板状の機能石を複数枚、ＦＲＰ製浴槽の底部にその上面が露出するように埋め込み形成して成るものである。より具体的にこれを製作手順とともに述べれば、以下の実施例のようになる。
【実施例】
【００１１】  ▲１▼  浴槽の内面を形成するための型に貼り付ける段戸石板のゲルコートとの接触面をプライマー処理する。
▲２▼  上記の型（俯せ状）の上面複数箇所に段戸石板を両面粘着シートで貼り付ける。
▲３▼  ゲルコートを塗布し、硬化させる。
▲４▼  その上にガラスマットとイソ系樹脂からなる層を積層して硬化させ、第一積層とする。
▲５▼  更に同様の積層をして硬化させ、第二積層とする。
▲６▼  更に必要に応じ補強用ベニヤ圧着やオーバーレイ、支持台取付け、脱型後の仕上げ加工等を行なう。
なお、本考案は上例に限定されるものでないことは言うまでもない。
【産業上の利用可能性】
【００１２】  本考案の機能石材埋め込み浴槽は前記のようにユーザーにとって様々なメリットがあり、また確実に製造できるものであるから、産業上の利用可能性は十分であるといえる。
【図面の簡単な説明】
【００１３】
【図１】本考案一例の平面図
【図２】図１のＡ−Ａ断面図
【符号の説明】
【００１４】１……石材類
２……プラスチック製浴槽
【図１】
0003105942.tif 000003
【図２】
0003105942.tif 000004
(57)【要約】      （修正有）【課題】勤務時や外出時（旅行などを含む）でも医師の指示などにより、薬を持参して定時に服薬しなければならない人たちに簡便でスマートな携帯用薬容器を提供する。【解決手段】プラスチックを楕円箱形に形成することにより、昔から長旅のときの薬入れとして使用されてきた印籠を模して、カプセル錠、固形及び粉末剤の内服薬のほかに点眼、消毒用の液状剤、軟膏状の外用薬、傷手当用の絆創膏などと併せて、その他付随する小物（少量の包帯など）を整理して収納し、ポケットやバックに入れて携帯できるようにする。【選択図】図１
0003105941.tif 000002
【実用新案登録請求の範囲】
【請求項１】
プラスチックを楕円箱型に形成してなるを特徴とする軽量小型の携帯用薬容器。
【考案の詳細な説明】
【技術分野】
【０００１】本考案は携帯用の薬剤収納容器に関するものである。
【技術背景】
【０００２】病院にて薬をもらうと非常に多種類の薬を長期間分（２〜４週間分）投与されることが少なくない。通常それらの薬を各家庭で管理し、一回分づつ間違いないよう飲み分けている。
一方、勤務時や旅行などの外出時には小分けにして持参しているが、簡便で適宜な持ち運び方法がなく、紛失したりすることが多い。
【考案の開示】
【考案が解決しようとする課題】
【０００３】勤務時や外出時（旅行などを含む）でも医師の指示などにより、薬を持参して定時に服薬しなければならない人が多数いる現在、それらの人たちに簡便でスマートな携帯用薬容器を提供する。
【考案の効果】
【０００４】本考案はプラスチックをやや楕円状の箱型に形成することにより、軽量小型で、ポケットやハンドバックその他の小物入れなどに収納して持ち運びのできるスマートな携帯用薬容器となる。
【考案を実施するための最良の形態】
【０００５】遊び心を加味したデザインとして、昔より長旅のときに薬入れとして使用された印籠を模した容器をプラスチックにて形成する。【０００６】上下２段に、自在に開閉する蓋状の扉を設け、各々整理収納できることを特徴とした容器であること。【０００７】上下段に整理棚を設けることにより、数種類のカプセル錠、固形及び粉末剤の内服薬を収納し、下段には点眼、消毒用の液状薬、軟膏状の外用薬、傷手当用の絆創膏などと、その他付随する小物（少量の包帯など）を整理して収納携帯できる機能を有していること。【０００８】家庭内に適宜な容器があれば、服薬用飲料水も下段に収納して携帯することができる。【０００９】上段及び下段の蓋体は下部本体に内蔵されているピンにより接続されており、上部蓋体と下部本体の開閉は、ヒンジバックル方式にて開閉自在であること。（開閉については他の方式でもよい。）下部本体尻部に接続ピンの留め具として、ナベ頭ビスを埋め込み保護する。【００１０】下段蓋体の中心に印籠と同様に、代表的で広く知られている知名度の秀でた家紋を、印刷又は貼付することにより大変に味わいのある容器となる。【００１１】従来の印籠に付き物である装飾用の飾り紐をはずしたことにより、一層モダンでスマート感が高まる。【００１２】材質についてはプラスチックに限定されるものではなく、任意のものでよいが、色については、黒色、濃紺色、又は濃い朱色が望ましい。【００１３】裏面又は側面にマーク、社名、あるいは商品名などを焼印、シール又は塗布などにより施してもよい。
【図面の簡単な説明】
【００１４】
【図１】  本考案による携帯薬容器の実施の形態の概要を示す説明図
【図２】  図１の蓋を閉じ、携帯時に於ける平面図
【図３】  図２の正面斜視図
【図４】  図３の接続ピン留め具部分の拡大図
【符号の説明】
【００１５】１．  容器本体
２．  整理棚            ２Ａ  上段  ２Ｂ  下段
３．  蓋体              ３Ａ  上段  ３Ｂ  下段
４．  ヒンジバックル    ４Ａ  上段  ４Ｂ  下段
５．  バックル留め具    ５Ａ  上段  ５Ｂ  下段
６．  家紋
７．  蓋体接続ピン
８．  ビス留めホール
９．  ナベ頭ビス
【図１】
0003105941.tif 000003
【図２】
0003105941.tif 000004
【図３】
0003105941.tif 000005
【図４】
0003105941.tif 000006
(57)【要約】      （修正有）【課題】浴室排水口の毛ゴミ取りブラシを提供する。【解決手段】使い易い幅、先端に丸みをつけ、中央に吸盤をつけ蓋をはずすものと髪の毛をかき集めるものが一体化したことを特徴とする。【選択図】なし【実用新案登録請求の範囲】
【請求項１】
洗髪をすると髪の毛などが排水口に溜まり排水口の流れが悪くなるので網を置いたが毛が溜まり浴室に湯水が溜まるので蓋をポンプ式シャンプの先で蓋をはずし歯ブラシで網に溜まった髪の毛をかき集めて始末をしていたので蓋をはずす物と髪の毛をかき集める物が一体になった商品があれば便利ではないかと思いついた尚フック（吸ばん）を付けると浴室の側面や浴室内の好みの場所に付けて置くことできるので使い勝手が良いと思った尚ブラシの先は常に乾燥状態を保たれ衛生的で良いのではないかと思った
【考案の詳細な説明】
【技術分野】
【０００１】ブラシはフックを差し込むため排水口を掃除するので手で持ってつかいやすい巾にしその先端は安全性を考慮し丸みをつける排水口の蓋を持ちあげられる強さを保つ細さにし丸みをつける
ブラシの毛は浴室のタイルのメジ汚れカビ等の磨き洗い流し時にタイルなどにキズ破損汚れおちのぐあい等を考慮した強度の程よくある毛の固さにするあまり固い毛だとタイルなどにキズ破損などになる原因になる
【図面の簡単な説明】
【０００２】［図１］排水口フック付掃除ブラシの側面図
［図２］排水口フック付掃除ブラシの平面図
【符号の説明】
【０００３】１  ブラシ
２  先端が丸くなっていて排水口の蓋をはずす
３  フック  吸盤
４  フック  吸盤
５  先端が丸くなっていて排水口の蓋をはずす
【図１】
0003105949.tif 000002
【図２】
0003105949.tif 000003
【手続補正書】
【提出日】平成16年6月21日(2004.6.21)
【手続補正１】
【補正対象書類名】実用新案登録請求の範囲
【補正対象項目名】全文
【補正方法】変更
【補正の内容】
【実用新案登録請求の範囲】
【請求項１】
使いやすい幅、先端に丸みをつけ，中央に吸盤をつけ蓋をはずすものと髪の毛をかき集めるものが一体化したブラシ
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
使いやすい幅、先端に丸みをつけ，中央に吸盤をつけ蓋をはずすものと髪の毛をかき集めるものが一体化したブラシ
【手続補正２】
【補正対象書類名】明細書
【補正対象項目名】全文
【補正方法】変更
【補正の内容】
【考案の詳細な説明】
【技術分野】
【０００１】ブラシはフックを差し込むため排水口を掃除するので手で持ってつかいやすい巾にしその先端は安全性を考慮し丸みをつける排水口の蓋を持ちあげられる強さを保つ細さにし丸みをつける
ブラシの毛は浴室のタイルのメジ汚れカビ等の磨き洗い流し時にタイルなどにキズ破損汚れおちのぐあい等を考慮した強度の程よくある毛の固さにするあまり固い毛だとタイルなどにキズ破損などになる原因になる
【図面の簡単な説明】
【０００２】［図１］排水口フック付掃除ブラシの側面図
［図２］排水口フック付掃除ブラシの平面図の説明］
【符号の説明】
【０００３】１  ブラシ
２  先端が丸くなっていて排水口の蓋をはずす
３  フック（後部）  吸盤（中央）
４  フック（後部）  吸盤（中央）
５  先端が丸くなっていて排水口の蓋をはずす
(57)【要約】      （修正有）【課題】調理をする際、まな板の汚れを防ぐためにまな板代わりに使用できる包丁の刃で切れない使い捨て用の紙敷きを提供する。【解決手段】紙の表面は、コーティングして裏面はすべらないようにやわらかくする。衛生面を考えて再使用はさけること。紙に包丁の刃を通さないようにすること。なおかつ、安全に切れること。紙が切るとき動かないこと。【選択図】図１
0003105948.tif 000002
【実用新案登録請求の範囲】
【請求項１】
本物品は包丁の刃で切れない使い捨て用調理紙敷きで、まな板の上に乗せられる位の大きさで箱から次々に取り出せる形状のものです。
【請求項２】
本物品は包丁の刃で切れない使い捨て用調理紙敷きで、まな板の上に乗せられる位の大きさで筒状に巻いてあり一枚ずつきれいにちぎって使用できる形状のものです。
【考案の詳細な説明】
【考案の詳細な説明】
本物品はまな板の汚れを少しでも防ぐために衛生面のことを考えた包丁の刃で簡単に紙が切れない使い捨て用調理紙敷きで、表面はコーティングして包丁の刃が通りにくくし、裏面は切るときに紙がずれないようすべらない素材のものにしてあり、使用後は、調理くずといっしょに丸めて捨てられます。
【図面の簡単な説明】
【図１】請求項１の斜視図である。
【図２】請求項２の斜視図である。
【符号の説明】
１．使い捨て紙敷き
２．箱
３．使い捨て紙敷き
４．カット用ミシン目
【図１】
0003105948.tif 000003
【図２】
0003105948.tif 000004
【手続補正書】
【提出日】平成16年6月24日(2004.6.24)
【手続補正１】
【補正対象書類名】実用新案登録請求の範囲
【補正対象項目名】全文
【補正方法】変更
【補正の内容】
【実用新案登録請求の範囲】
【請求項１】
本物品はまな板の広さの紙を片面コーティングして包丁の刃で紙が切れないようにしてありその紙を半分に折り交互に重ねることで箱から一枚ずつ次々に取り出して使用する形状の使い捨て用調理用紙敷きです。
【請求項２】
本物品はまな板の広さの紙を片面コーティングして包丁の刃で紙が切れないようにしてありその紙を筒状に巻いて一枚ずつちぎって使用する形状の使い捨て用調理用紙敷きです。
【手続補正２】
【補正対象書類名】図面
【補正対象項目名】全図
【補正方法】変更
【補正の内容】
【図１】
0003105948.tif 000005
【図２】
0003105948.tif 000006
(57)【要約】 【課題】  多数極を持つラグ板の絶縁物に、工具や手先で容易に分割でき、ラグ及び取り付け金具付きラグを自由な位置に挿入でき、機器配線に応じて任意なラグ板を作れる構造にしたラグ板。【解決手段】  本考案は図１に示すように、絶縁物１と絶縁物１に挿入する取り付け金具付きラグ２とラグ３で構成され、絶縁物１の一部にＶ字溝部４を設けた構造を特徴し、  Ｖ字溝部４で分割することで、２極、３極、５極等のラグ板を作ることができ、取り付け金具付きラグ２とラグ３の位置を置き換えることができることを特徴とする。  【選択図】        図１      
0003105964.tif 000002
【実用新案登録請求の範囲】
【請求項１】
多数極を持つラグ板の絶縁物に、工具や手先で容易に分割できるＶ字溝部４を設け、ラグ３及び取り付け金具付きラグ２を自由な位置に挿入できるラグ板を作れることを特徴とする。
【考案の詳細な説明】
【技術分野】
【０００１】
本考案は電子機器の内部配線の中継に使用されるラグ板の構造に関する考案である。
【背景技術】
【０００２】
従来より用いられるラグ板は、３極のラグ板５極のラグ板等、多数の種類のラグ板がある。電子機器をを製作する場合、内部の配線に応じて多数の部品を必要とする。部品の種類を減らすためにラグ板を分割加工する方法もあるが、手先はもちろんのこと、工具を使用しても容易には分割できない。
【非特許文献１】サトーパーツ株式会社  カタログ  Ｌ−５９０  Ｌ−３５５２
【考案の開示】
【考案が解決しようとする課題】
【０００３】
本考案は電子機器の内部配線の中継に使用する時、目的に応じて多数の種類のラグ板を用意する必要がないように、工具や手先で容易に分割できるラグ板で 
、絶縁物１にラグ３及び取り付け金具付きラグ２を自由な位置に挿入でき、機器配線に応じて任意なラグ板を作れる構造にすることである。
【課題を解決するための手段】
【０００４】
本考案は図１に示すように、絶縁物１と絶縁物１に挿入する取り付け金具付きラグ２とラグ３で構成され、絶縁物１の一部にＶ字溝部４を設けた構造とすることで解決する。
【考案の効果】
【０００５】
本考案は多数極を持つラグ板の絶縁物１に、工具や手先で容易に分割でき、ラグ３及び取り付け金具付きラグ２を自由な位置に挿入でき、機器配線に応じて任意なラグ板を作れる。      
【考案を実施するための最良の形態】
【０００６】
図１は５極のラグ板の外観で、絶縁物１取り付け金具付きラグ２ラグ３より構成される。図２は絶縁物１の構造で一部は断面を示し、図３は絶縁物１に挿入するラグ３の外観で、図４は取り付け金具付きラグ２の外観を示す。図２に示してある絶縁物１の一部にＶ字溝部４を設け、その部分を工具あるいは手先で容易に割ることができ（いわゆるチョコレートブレーク）、複数の極数に分割できる構造にしてある。絶縁物１に取り付け金具付きラグ２及びラグ３を挿入して、目的のラグ板を作ることができる。一例として、図２の絶縁物１をＶ字溝部４の部分で分割すれば、２極、３極、５極のラグ板を作ることができ、目的に応じ、図５図６及び図７のように取り付け金具付きラグ２とラグ３の位置で様々な組み合わせを作ることができる。絶縁物１を更に極数の多い物にすれば、より多くの目的に応じたラグ板を作ることができる。      
【実施例１】
【０００７】
本考案の一例として、図２の絶縁物１をＶ字溝部４の部分で分割すれば、２極、３極５極のラグ板を作ることができ、目的に応じ、図５図６及び図７のように取り付け金具付きラグ２とラグ３の位置で様々な組み合わせを作ることができる。絶縁物１を更に極数の多い物にすれば、より多くの目的に応じたラグ板を作ることができる。  
【産業上の利用可能性】
【０００８】
本考案は電子機器の内部配線の中継に使用する時、目的に応じて多数の種類のラグ板を用意する必要がないように、工具や手先で容易に分割できるラグ板で  
、絶縁物１にラグ３及び取り付け金具付きラグ２を自由な位置に挿入でき、機器配線に応じて任意なラグ板を作れるため、電子機器で使用する時、目的に応じて多数の種類のラグ板を用意及び在庫する必要がなくなる。
【図面の簡単な説明】
【０００９】
【図１】５極のラグ板の図
【図２】絶縁物の断面図
【図３】ラグの図
【図４】取り付け金具付きラグの図
【図５】２極のラグ板の図
【図６】３極のラグ板の図
【図７】５極のラグ板の図
【符号の説明】
【００１０】
１  絶縁物    
２  取り付け金具付きラグ
３  ラグ
４  Ｖ字溝部
【図１】
0003105964.tif 000003
【図２】
0003105964.tif 000004
【図３】
0003105964.tif 000005
【図４】
0003105964.tif 000006
【図５】
0003105964.tif 000007
【図６】
0003105964.tif 000008
【図７】
0003105964.tif 000009
【手続補正書】
【提出日】平成16年8月9日(2004.8.9)
【手続補正２】
【補正対象書類名】実用新案登録請求の範囲
【補正対象項目名】全文
【補正方法】変更
【補正の内容】
【実用新案登録請求の範囲】
【請求項１】
多数極を持つラグ板の絶縁物に、工具や手先で容易に分割できるＶ字溝部４をもち、ラグ３及び取り付け金具付きラグ２を自由な位置に挿入できる構造をもつ接続端子。
(57)【要約】［目的］ゴルフのプレイの中でのショ−トパットのミス，多くのゴルファ−が悩みの種とするこのミスを技術面からではなく，プレッシャ−を軽減するというメンタル面の育成によって解決しようとするものであります。［効果］２本のガイドラインという具体的なイメ−ジが育つことで，安心感がうまれ，プレッシャ−によるミスを大幅に減らす効果が出てきます。［選択図］図２【実用新案登録請求の範囲】
【請求項１】
パタ−練習マットのカップ両脇を２本のガイドラインがカップの直径の幅と同じ幅の間隔で引かれているパタ−練習具。
【考案の詳細な説明】
【考案の詳細な説明】
［産業上の利用分野］ゴルフのパッティングのメンタルトレ−ニング［従来の技術］従来のパタ−練習マットは，実際のグリ−ン上とよく似せた緑色の無地の人工芝で練習をくりかえしパッティングを上手にしようとする目的の物，または，カップのセンタ−に１本のラインが引いてあり，そのライン上を真っすぐにゴルフボ−ルをころばせるように練習させる物，パタ−のフェイスの幅に合わせられるガイドひもが２本張ってあって，パッティングストロ−クが真っすぐになるように練習させる物などいろんな種類の物がありますが，いずれも技術面の上達を育む目的の用具であります。［考案が解決しようとする課題］ゴルフにおいてパッティングをする際ラインを読むという言葉があります。この言葉によってゴルファ−はカップまでのラインを一本の線でイメ−ジして，その線上にボ−ルを転ばせようとすることが多いのです。そのために，微妙なタッチが要求され，余計なプレッシャ−がかかりミスパットにもつながります。特にショ−トパットと呼ばれる１ｍ前後の短い距離のパットがかえって難しいと言われイップスと呼ばれる病気まであるくらいです。短いパットをはずすほど悔しいことはありません，しかもこの経験はほとんど誰もが，しょっちゅう繰り返すものです。この考案は，ショ−トパットの悔しいミスの原因がプレイヤ−の技術が云々と言うことより，プレッシャ−と言うメンタル面に起因することの方が大きいことに着目し，このプレッシャ−を大幅に軽減しようと言うものです。［課題を解決するための手段］パタ−練習マットのホ−ルカップの両脇に２本のガイドラインを走らせます。２本のラインの間隔はカップの直径と同じにする。ラインそのものの太さは２０ｍｍ前後とし厳密にこだわりません。［作用］この２本のガイドラインが引かれていることにより，ボ−ルをカップインさせる為には，１本のライン上をころばさなくてもとりあえずはこの幅の間へさえころばせればカップインすると言うことがはっきりと，具体的に見えてきます。そして更に，カップまで続くこの２本のガイドラインを常に見ながら練習を繰り返すことで，２本のガイドラインそのものの画像が頭の中にイメ−ジとして育っていくのです。この点がこの考案の主目的とするところであります。［考案の効果］この様な２本ラインのイメ−ジが育つことにより，微妙なプレッシャ−から自分自身の能力で開放される。と言う得難い効果がえられるのです。もし，ジュニア−の時からこのパタ−マットで練習をすれば，かなりのパタ−の名手がうまれることが期待できます。また，ショ−トパットのミスに悩む多くのゴルファ−の悩みの解決に大きな福音となることでしょう。高速道路で車を走行する時，もし道路に白線がなかったら，とてもこわくて走れません。白線が引いてあるからこそ安心してはしれます，まさにこの心理と同じことで，この２本のパッティングガイドラインをより具体的にイメ−ジできる様になればパッティング時のプレッシャ−を大幅に軽減できます。カップの幅に打てば入ると頭で分かっているだけと，実際に２本のラインを目で見ながら練習を繰り返して具体的なイメ−ジを頭の中に育てた人とでは大違いになるのです。
【図面の簡単な説明】［図１］平面図［符号の説明］１，ガイドライン（白色人工芝）              ２，人工芝グリ−ン部分              ３，ホ−ルカップ部              ４，ボ−ル受け部［図２］全体図
【図１】
0003105963.tif 000002
【図２】
0003105963.tif 000003
(57)【要約】【課題】  食器類運搬機のフレームに簡単に、脱着が出来る食器類押えカバーを提供する。【解決手段】  長方形の布地▲１▼と、その幅方向両端に一定の間隔で設けた複数本の帯状バンド▲２▼と、このバンド▲２▼を丸めて設けたゴム紐▲６▼を通す筒状の穴▲５▼と、前記バンド▲２▼をフレーム▲Ｆ▼に巻き付けて止めるホック▲３▼▲４▼と、筒状の穴▲５▼に通して布地▲１▼の長さ方向に掛け渡した複数本の、前記ゴム紐▲６▼とより構成した食器類運搬機用食器押えカバー。【選択図】  図１
0003105730.tif 000002
【実用新案登録請求の範囲】
【請求項１】
二輪車の後部に装着する、出前用食器類運搬機の上下移動するフレームに取り付けられ、前記出前用食器が運搬中に移動しないように押える押えカバーであって、長方形の布地と、その幅方向両端部に一定の間隔で設けた複数本の帯状バンドと、このバンドをフレームに巻き付けて止めるホック、前記バンドの端部を丸めて作った筒状の穴と、前記筒状の穴に通して、布地の長さ方向に掛け渡した複数本のゴム紐とより構成した食器類運搬機用食器押えカバー。
【考案の詳細な説明】
【技術分野】
【０００１】  本考案は、出前用食器類運搬機に載せるどんぶりや食器類などの食器を押えて移動しないようにする食器押えカバーに関するものである。
【背景技術】
【０００２】  従来の食器押えカバーとしては、図３に示されている食器押えカバーが一般的に用いられている。すなわち、従来の押えカバーは、長方形の布地▲２１▼を使用し、幅方向両端部に複数個のハトメの穴▲２２▼を一定間隔に設けたもので、その穴▲２２▼に針金▲２３▼を通して図２に示す出前用食器類運搬機のフレーム▲Ｆ▼に止められている。そして丸ゴム▲２４▼が一端の穴▲２２▼と他端の穴▲２２▼の間に掛け渡して布地▲２１▼に取り付けられている。
【考案の開示】
【考案が解決しようとする課題】
【０００３】  従来の食器押えカバーは、ハトメと針金を使用していたため、ハトメの部位に負担がかかり、早くて６ヶ月、長い時で１年半でハトメの部位が破れて押えカバーとしての役目をしなくなっていた。又針金を使用しているためにペンチなどの工具類を使い脱着していた。
そこで、本考案は、ハトメ、針金などに工具類を一切使用しないで、簡単に脱着が出来る食器押えカバー提供することを目的とする。
【課題が解決するための手段】
【０００４】  本考案が提供する食器類運搬機用食器押えカバーは、二輪車の後部に装着する出前用食器運搬機の上下移動するフレームに取り付けられ、どんぶりや食器が運搬中に移動しないように押える押えカバーであって、長方形の布地と、その幅方向両端に一定の間隔で設けた複数本の帯状バンドと、このバンドを丸めて設けたゴム紐を通す筒状の穴と、前記バンドをフレームに巻き付けて止めるホックと、筒状の穴に通して布地の長さ方向に掛け渡した複数本のゴム紐とより構成したものである。
【考案の効果】
【０００５】  本考案の食器押えカバーは、長方形の布地方向両端部に帯状バンドで設けた筒状の穴にゴム紐を通し巻き付け、ホックにより食器運搬機のフレームに、簡単に取り付け、取り外しができるので大変便利である。
【０００６】  従来のハトメや針金で食器類運搬機のフレームにペンチなどの工具類を使い脱着していたため、取り付け、取り外しがとても面倒で、押えカバーを外して洗うことができないでいた。その点、本考案の食器類押えカバーは、ホックで形成されているので簡単に、取り付け、取り外しができ、外して洗うことができる。又ゴム紐が切れてもトンネル状の筒を設けているので、これも簡単に取り替えができる。
【考案を実施するための最良の形態】
【実施例】
【０００７】  以下、本考案の実施例について図を参照しながら説明する。
図１は本考案の食器類運搬機用食器押えカバーである。このカバーは、長方形の布地▲１▼と、その幅方向両端部に一定の間隔で設けた複数本の帯状バンド▲２▼と、このバンド▲２▼をフレーム▲Ｆ▼に巻き付けて止めるホック▲３▼、▲４▼と、前記、バンド▲２▼の端部を丸めて作った筒状の穴▲５▼と、前記筒状の穴▲５▼に通して、布地▲１▼の長さ方向に掛け渡した複数本のゴム紐▲６▼と、掛け渡したゴム紐▲６▼を通してその移動を防止するゴム紐通し▲７▼とより構成されている。【０００８】  図２は、食器類運搬機を二輪車の後部に装着した状態を示しており、上下運動するフレームＦに従来の食器類押えカバーが取り付けてある。
【図面の簡単な説明】
【０００９】
【図１】実施例の食器類運搬機用押えカバーの要部斜視図
【図２】従来の食器類押えカバーを二輪車の後部に取り付けた食器運搬機のフレームに取り付けた状態を示す正面図。
【図３】図２の食器押えカバーの斜視図。
【符号の説明】
【００１０】１  長方形の布地
２  帯状バンド
３  ホック
４  ホック
５  筒状の穴
６  ゴム紐
７  ゴム紐通し
Ｆ  フレーム
【図１】
0003105730.tif 000003
【図２】
0003105730.tif 000004
【図３】
0003105730.tif 000005
(57)【要約】【課題】  蛇口取付用のキャップ付き石鹸ケースによれば、余分な石鹸水が石鹸ケース内から完全に排出できるので、石鹸を無駄にすることがなくなる。【解決手段】  一つの台座と、一つのカバーと、一つの中空突起と、一つの固定用ナットとから構成される、蛇口取付用のキャップ付き石鹸ケースにおいて、長方体形状の石鹸ケースの底部の一端には余分の石鹸水を排出するための排水孔が開けてあり、前記底部の他端には、蛇口螺旋付き弁軸と合うための中空突起と、石鹸ケースを蛇口に固定するための固定用ナットとを有することを特徴とする、蛇口に取付用キャップ付きの石鹸ケースである。【選択図】  図２
0003105726.tif 000002
【実用新案登録請求の範囲】
【請求項１】
一つの台座と、一つのカバーと、一つの中空突起と、一つの固定用ナットとから構成される、蛇口取付用のキャップ付き石鹸ケースにおいて、
長方体形状の石鹸ケースの底部の一端には余分の石鹸水を排出するための排水孔が開けてあり、
前記底部の他端には、蛇口螺旋付き弁軸と合うための中空突起と、石鹸ケースを蛇口に固定するための固定用ナットとを有することを特徴とする、
蛇口取付用のキャップ付き石鹸ケース。
【考案の詳細な説明】
【技術分野】
【０００１】
本考案は、蛇口取付用のキャップ付き石鹸ケースに係り、特に、蛇口の上に取付けることができる石鹸ケースに関するものである。
【背景技術】
【０００２】
個人用石鹸を収容するための装置には種々あり、これらの装置の大半は余分な石鹸水が装置内から完全に排出できないので、石鹸が無駄になる。
【考案の開示】
【考案が解決しようとする課題】
【０００３】
本考案の主な目的は、余分の石鹸水が石鹸収納装置内から完全に排出できることにより、石鹸を無駄にすることのない、蛇口取付用のキャップ付き石鹸ケースを提供することである。
【課題を解決するための手段】
【０００４】
上記目的を達成するためになされた本願の考案は、一つの台座と、一つのカバーと、一つの中空突起と、一つの固定用ナットとから構成される、蛇口取付用のキャップ付き石鹸ケースにおいて、長方体形状の石鹸ケースの底部の一端には余分の石鹸水を排出するための排水孔が開けてあり、前記底部の他端には、蛇口螺旋付き弁軸と合うための中空突起と、石鹸ケースを蛇口に固定するための固定用ナットとを有することを特徴とする、蛇口に取付用キャップ付きの石鹸ケースであることを要旨としてある。
【考案の効果】
【０００５】
本考案に係る蛇口取付用のキャップ付き石鹸ケースによれば、余分な石鹸水が石鹸ケース内から完全に排出できるので、石鹸を無駄にすることがなくなる。
【考案を実施するための最良の形態】
【０００６】
以下、添付図面を参照して本考案の好適な実施の形態を詳細に説明する。
【０００７】
まず、図１を参照する。図１は本考案の使用状態を示す概略図である。本考案に係る石鹸ケース２は、長方体形状を呈し、その底部が蛇口螺旋付き弁軸６を９０度に旋回することにより開閉する蛇口１に取り付けられ、且つその底部の一端には余分の石鹸水を排出するための排水孔３が開けてあり、前記底部の他端には、９０度に旋回できる蛇口螺旋付き弁軸６と合うための中空突起５と、石鹸ケース２を蛇口１に固定するための固定用ナット４とを有する。
【０００８】
以下、本考案に係る蛇口に取付用キャップ付きの石鹸ケースの使用状態を説明する。
【０００９】
本考案に係る蛇口取付用のキャップ付き石鹸ケース２は、図２に示すように、９０度に旋回することにより開閉する蛇口１に取付けることができる。
【００１０】
前記蛇口１の蛇口螺旋付き弁軸６に取付けられ蛇口１を開閉するための部品を取り外した後、本考案の石鹸ケース２にある中空突起５を前記蛇口螺旋付き弁軸６に嵌合して、固定用ナット４により締結すると、本考案に係る石鹸ケース２が前記蛇口１に固定される。
【００１１】
そうすると、本考案に係る石鹸ケース２を９０度に旋回すると、前記蛇口１が開閉され、且つ石鹸ケース２のカバーを開けると、石鹸を取出したり、放置したりすることができる。
【００１２】
本考案に係る石鹸ケース２を別の蛇口に設置し又は他の目的で移転する場合には、固定用ナット４を取り外すだけで、石鹸ケース２を容易に脱着することができる。
【００１３】
このように、本考案は、特定の例を参照して説明したが、それらの例は、説明のためだけのものであり、本考案を限定するものではなく、この分野に通常の常識を有する者には、本考案の精神および範囲を逸脱することなく、ここで開示された実施例に変更、追加、または、削除を施してもよいことがわかる。
【図面の簡単な説明】
【００１４】
【図１】本考案の使用状態を示す概略図である。
【図２】本考案の分解斜視図である。
【符号の説明】
【００１５】
１        蛇口
２        石鹸ケース
３        排水孔
４        固定用ナット
５        中空突起
６        蛇口螺旋付き弁軸
７        ヒンジ
【図１】
0003105726.tif 000003
【図２】
0003105726.tif 000004
(57)【要約】      （修正有）【課題】笠木が余り厚みを有さず、取付け作業も簡単で、堅牢な高速道路などの遮音壁等の壁体上端部に装着する笠木を開発・提供する。【解決手段】高速道路などの遮音壁等の壁体の上部に装着する笠木であって、耐食性の鋼板を素材とし、適宜な長さを有し、壁体Ｘの上端部を覆う断面コ字状の笠木本体１を設け、該笠木本体１は、支柱Ｙにプレート２およびブラケット３を介して設け、笠木本体１の適宜な間隔置きに、リブ４を介して、遮音壁等の壁体Ｘを覆うことを特徴とする遮音壁等の壁体の笠木からなるものである。【選択図】図２
0003105791.tif 000002
【実用新案登録請求の範囲】
【請求項１】
高速道路などの遮音壁等の壁体の上部に装着する笠木であって、耐食性鋼板を素材とし、適宜な長さを有し、壁体（Ｘ）の上端部を覆う断面コ字状の本体（１）を設け、該本体（１）は、支柱（Ｙ）にプレート（２）およびブラケット（３）を介して設け、該本体（１）の長手方向の適宜な間隔置きに、リブ（４）を設けて、遮音壁等の壁体（Ｘ）を覆うことを特徴とする遮音壁等の壁体の笠木。
【考案の詳細な説明】
【技術分野】
【０００１】
この考案は、高速道路などの遮音壁等の壁体上端部に装着する笠木に関するものである。
【背景技術】
【０００２】
従来、高速道路においては、道路周辺が市街地であり、住宅がある場合には、遮音壁を設け、高速道路を走行する車両の騒音を近隣の住民から避けるように配慮されている。
【０００３】
そして、この遮音壁には、その上端に笠木を設け、耐久性の改善を図るものが見受けられる。例えば、特許文献１のように。
【特許文献１】特開２００２−１８８３２６号公報
【０００４】
しかし、この遮音用笠木は、ボルト、ナットの事前止着と締付けが不要であると述べられているが、遮音壁の厚みよりもかなり幅寸法があり、しかも、断面形状が略コ字状の笠木のそれぞれ先端の内側に、それぞれランスと突片等の付属部品を設けており、笠木本体の構造が複雑であり、コストも高いものと考えられる。
【０００５】
さらに、Ｈ型鋼からなる支柱の前後には、堂縁を設け、該堂縁に装着するクリップを設けており、部品点数も多く、従って、取付け工事も返って煩雑となり、施工効率の悪いものであった。
【考案の開示】
【考案が解決しようとする課題】
【０００６】
そこで、この考案は、笠木が余り、厚みを有さず、取付け作業も簡単で、堅牢な高速道路などの遮音壁等の壁体上端部に装着する笠木を開発・提供するものである。
【課題を解決するための手段】
【０００７】
この考案は、高速道路などの遮音壁等の壁体の上部に装着する笠木であって、耐食性鋼板を素材として使用し、適宜な長さを有し、壁体の上端部を覆う断面コ字状の本体を設け、該本体は、支柱にプレートおよびブラケットを介して設け、該本体の適宜な間隔置きに、リブを介して、遮音壁等の壁体を覆うことを特徴とする遮音壁等の壁体の笠木からなるものである。
【考案の効果】
【０００８】
この考案によると、笠木本体（１）は、耐食性の鋼板を素材しており、従来の亜鉛メッキに比べて約５倍の耐食性効果があり、また、笠木本体（１）の断面形状が略コ字状とし、笠木本体（１）の長手方向の適宜な間隔置きに、リブ（４）をそれぞれ設けており、笠木本体（１）全体としても極めて堅牢となり、また、支柱（Ｙ）に溶接されたプレート（２）およびブラケット（３）に笠木本体（１）を締めつけ固定するため、強風等によっても、堅牢に装着できる等極めて有益なる効果を奏する。
【考案を実施するための最良の形態】
【０００９】
この考案の一実施例を図面に従って詳述すると、高速道路などの遮音壁等の壁体の上部に装着する笠木であって、耐食性の鋼板を素材とし、適宜な長さを有し、壁体（Ｘ）の上端部を覆う断面コ字状の笠木本体（１）を設け、該笠木本体（１）は、支柱（Ｙ）にプレート（２）およびブラケット（３）を介して設け、該笠木本体（１）の適宜な間隔置きに、リブ（４）を介して、遮音壁等の壁体（Ｘ）を覆うことを特徴とする遮音壁等の壁体の笠木からなるものである。
【００１０】
尚、プレート（２）およびブラケット（３）は、支柱（Ｙ）に溶接手段により固定されており、それぞれプレート（２）およびブラケット（３）にはナット（５）も溶接されている。
【００１１】
また、これらプレート（２）およびブラケット（３）にはナット（５）にはボルト（６）を締付け固定するものである。（７）は、リブ（４）を笠木本体（１）と固定するボルトである。
【産業上の利用可能性】
【００１２】
この考案は、高速道路などの遮音壁等の壁体上端部に装着する笠木を開発、提供することにより、笠木の設置技術並びに使用方法を確立し、かつ寄与する点で、産業上の利用可能性を有する。
【図面の簡単な説明】
【００１３】
【図１】この考案の一実施例を示し、（Ａ）は、一部欠截正面図であり、（Ｂ）は、一部欠截平面図である。
【図２】この考案の一実施例を示す一部欠截側面図である。
【図３】この考案の一実施例を示す要部拡大一部欠截側面図である。
【符号の説明】
【００１４】
１  笠木本体
２  プレート
３  ブラケット
４  リブ
５  ナット
６  ボルト
７  ボルト
Ｘ  壁体
Ｙ  支柱
【図１】
0003105791.tif 000003
【図２】
0003105791.tif 000004
【図３】
0003105791.tif 000005
(57)【要約】【課題】  墜落防止用安全帯のロープと金具類の結着は、サツマ編み込みという方法で、機械化ができず全て手作業で行っており、いちばんコストのかかるものであった。よって、安全帯の生産性の問題と、従来の三つ打ちロープは、キンクが生じることがあり、そのキンクを防止する問題の解決を図る。【解決手段】  墜落防止用安全帯のリング４とフック６とを連結するロープ５を、組ロープ51とし、連結部をミシンによる縫製52結合としたものである。組ロープ51としたことによりキンクが発生しないものである。【選択図】        図１
0003105719.tif 000002
【実用新案登録請求の範囲】
【請求項１】
一端にバックル１を設け、他端に先端金具２を設けた胴ベルト３に、リング４を挿通し、ロープ５の基端部をリング４に結合し、先端部にフック６を設けた墜落防止用安全帯において、リング４とフック６とを連結するロープ５を、組ロープ51とし、連結部をミシンによる縫製52結合としたことを特徴とする墜落防止用安全帯。
【考案の詳細な説明】
【技術分野】
【０００１】
本願は、高所作業時に使用する墜落防止用の安全帯に係るものであり、特には腰部に巻装するベルト部と構築物の間を連結する墜落防止用安全帯のロープ部に関するものである。
【背景技術】
【０００２】
墜落防止用安全帯のベルト部と構築物掛止用のフック間は、一般的なものではロープが用いられる。
ロープは、三つ打ち・八つ打ちロープがあり、一端をベルト部に配した略Ｄ字形状のリングにサツマ編み込みにより結着し、他端は構築物掛止用の鉤部を備えたフックを同じくサツマ編み込みにより結着するものであった。
【０００３】
上記のロープは、サツマ編み込みという結着方法で、機械化できないもので、手作業により行っており時間のかかるものであった。また、三つ打ちロープは、撚り戻りというキンクが発生しやすいものであった。また、八つ打ちロープは、撚りがかかっていないため、キンクは起こらないが高価なものであった。
【特許文献１】意匠登録第６９５５９７号公報
【考案の開示】
【考案が解決しようとする課題】
【０００４】
以前よりの安全帯を見直し、安全帯の生産性の問題であるコスト低減を図ると共に、強度的にも遜色のない安全帯を得ることと、キンクを防止する問題を同時に解決するものである。
【課題を解決するための手段】
【０００５】
本願では安全帯のロープを組ロープとし、金具との結着にはミシンによる縫製加工とするものである。よって、コスト低減を図ると共に、組ロープであるのでキンクも発生せず、中空なので軽量なものである。
【考案の効果】
【０００６】
以上のように、安全帯に組ロープを採用することにより、従来行っていた手作業による製品のばらつきが無くなり、安定した強度の安全帯が得られるものである。また、手加工に比べミシン加工は短時間で処理が可能であり、加工が安定する上、経済的な効果も発揮できるものである。
本願の安全帯に用いる組ロープは、芯がないものであり、軽量であると共にキンクが発生しないものである。
【実施例】
【０００７】
本願の実施例を詳記すると、
本願は、図示するように、一端にバックル１を設け、他端に先端金具２を設けた胴ベルト３に、リング４を挿通し、ロープ５の基端部をリング４に結合し、先端部にフック６を設けた墜落防止用安全帯において、リング４とフック６とを連結するロープ５を、組ロープ51とし、連結部52をミシンによる縫製53結合としたものである。
【０００８】
本願の組ロープ51は、図２に示すように、外観上は、組紐の太いものであるが、外層１６本、内層１６本合計３２本のストランドが外層，内層に順次絡みながら外径約１６ｍｍの中空形状に形成しているものである。
【０００９】
ザイルのような芯の周りに外層だけ組紐状にしたものは、摩擦に弱く、落下衝撃荷重が加わった場合、ロープの伸びがない為、高い衝撃荷重がかかるが、本願の組ロープは、摩擦に強く、落下衝撃荷重が加わった場合でもロープが伸びて厚生労働省の「安全帯の規格」値に適合できるものである。
【００１０】
本願の組ロープを取付けた安全帯の一例を図１に示すが、胴ベルト３に挿通して設けたリング４とフック６とを連結するロープ５を組ロープ51とし、挿通して折り返した重合部をミシンにより縫製52結合し、該縫製部に樹脂製カバー53で被覆したものである。
【図面の簡単な説明】
【００１１】
【図１】本願墜落防止用安全帯の一例を示す正面図。
【図２】本願墜落防止用安全帯のロープ部縫製状態正面図。
【図３】本願墜落防止用安全帯のロープ部縫製状態平面図。
【符号の説明】
【００１２】
１    バックル
２    先端金具
３    胴ベルト
４    リング
５    ロープ
６    フック
51    組ロープ
52    縫製
53    樹脂製カバー
【図１】
0003105719.tif 000003
【図２】
0003105719.tif 000004
【図３】
0003105719.tif 000005